(57)【要約】【課題】バッテリ、エンジンおよびブロアハウジングをカバーで覆うように構成し、かつ部品点数を抑えることができる除雪機を提供する。【解決手段】除雪機１０は、機体１１の前部１１ａにオーガ４８，４９、ブロア４０およびシュータ５３を配置し、オーガ４８，４９で集めた雪をブロア４０で跳ね上げ、シュータ５３を介して投雪するものである。ブロア４０をブロアハウジング３５で囲い、このブロアハウジング３５の上部３５ｂにバッテリ６１を搭載する載置台９０を設け、この載置台９０に搭載したバッテリ６１を、ブロアハウジング３５の上部３５ｂと共に覆うように、機体１１に設けたカバー２０を前方に延ばした。【選択図】        図３
2004225310.tif 000002
【特許請求の範囲】
【請求項１】
機体の前部にオーガ、ブロアおよびシュータを配置し、オーガで集めた雪をブロアで跳ね上げ、シュータを介して投雪する除雪機において、前記ブロアをブロアハウジングで囲い、このブロアハウジングの上部にバッテリを搭載する載置台を設け、この載置台に搭載したバッテリを、ブロアハウジングの上部と共に覆うように、前記機体に設けたカバーを前方に延ばしたことを特徴とする除雪機。
【請求項２】
前記オーガおよびブロアを駆動する駆動源を前記機体に搭載し、この駆動源をも前記カバーで覆うように構成したことを特徴とする請求項１記載の除雪機。
【発明の詳細な説明】
【０００１】
【発明の属する技術分野】
本発明は、除雪用のオーガを機体の前部に設けた除雪機に関する。
【０００２】
【従来の技術】
路面や駐車場などの雪を除雪するものとしてオーガを備えた除雪機がある（例えば、特許文献１参照。）。
【０００３】
【特許文献１】
特開２０００―１７０１３２公報（第５頁、第１４図）
【０００４】
以上の特許文献１について次図を参照の上、詳しく説明する。
図８は従来の除雪機の要部を示す斜視図である。なお、符号を振り直した。
除雪機２００によれば、機体２０１にエンジンを備え、このエンジンで機体２０１の前部２０３に設けたオーガ２０４やブロアを駆動する。この状態で、機体２０１の下部に設けた走行手段２０５を駆動させて前進する。
これにより、除雪機２００を前進させながらオーガ２０４で雪を掻き集め、掻き集めた雪をブロアで跳ね上げてシュータ２０６で所望の位置に投雪する。
【０００５】
この除雪機２００は、エンジンのスタータや点火プラグに電流を供給するためにバッテリ２０７を備えている。
具体的には、オーガを収納するオーガハウジング２０８と、ブロアを収納するブロアハウジング２０９とにバッテリ搭載台２１０を取り付け、このバッテリ搭載台２１０にバッテリ２０７を搭載した後、バッテリ２０７の上端にバッテリカバー２１１を取り付ける。
バッテリ２０７の上端にバッテリカバー２１１を取り付けることで、バッテリ２０７の上部に雪や水がかかることを防止する。
【０００６】
【発明が解決しようとする課題】
ここで、オーガ２０４やブロアを駆動するエンジンを露出させたままにしておくと、エンジンに雪や水がかかり、エンジンに悪影響をおよぼす。このため、エンジンも、バッテリ２１１と同様にカバーで覆うことが好ましい。
【０００７】
一方、オーガ２０４で掻き集めた雪をブロアで上方に跳ね上げるためには、ブロアの回転数をある程度高く設定する必要がある。このため、ブロアの回転中に風切り音が発生し、この風切り音が作業者に耳障りな騒音として感じられる。
ブロアの風切り音を抑える手段としてブロアハウジング２０９の上方をカバーで覆うことが考えられる。
【０００８】
しかし、エンジンやブロアハウジング２０９をそれぞれ個別のカバーで覆うと、バッテリ用のカバーの他に、エンジン用のカバーとブロアハウジング用のカバーが必要になり、部品点数が増えてしまう。
【０００９】
そこで、本発明の目的は、バッテリ、エンジンおよびブロアハウジングをカバーで覆うように構成し、かつ部品点数を抑えることができる除雪機を提供することにある。
【００１０】
【課題を解決するための手段】
上記目的を達成するために請求項１は、機体の前部にオーガ、ブロアおよびシュータを配置し、オーガで集めた雪をブロアで跳ね上げ、シュータを介して投雪する除雪機において、前記ブロアをブロアハウジングで囲い、このブロアハウジングの上部にバッテリを搭載する載置台を設け、この載置台に搭載したバッテリを、ブロアハウジングの上部と共に覆うように、前記機体に設けたカバーを前方に延ばしたことを特徴とする。
【００１１】
ブロアハウジングの上部にバッテリを搭載し、このバッテリおよびブロアハウジングを機体から前方に延ばしたカバーで覆った。バッテリをカバーで覆うことにより、バッテリに雪や水がかかることを防止することができる。
さらに、ブロアハウジングの上部をカバーで覆うことにより、ブロアの回転により生じる風切り音を抑えることができる。
【００１２】
また、機体から前方に延ばしたカバーで、バッテリおよびブロアハウジングを覆うことにより、機体に取り付けたカバーを、バッテリおよびブロアハウジング覆うカバーとして兼用することができる。
【００１３】
請求項２は、オーガおよびブロアを駆動する駆動源を機体に搭載し、この駆動源をもカバーで覆うように構成した。
【００１４】
よって、バッテリやブロアハウジングを覆うカバーで、オーガおよびブロアを駆動する駆動源をも覆うことができる。駆動源をカバーで覆うことにより、駆動源やその電装部品に雪や水がかかることを防止することができる。
さらに、このカバーで駆動源を覆うことにより、駆動源から発生する作動音を抑えることができる。
加えて、機体に取り付けた一個のカバーで、バッテリ用カバー、ブロアハウジング用カバーおよび駆動源用カバーとして兼用することができる。
【００１５】
【発明の実施の形態】
本発明の実施の形態を添付図に基づいて以下に説明する。ここで、「前」、「後」、「左」、「右」は作業者から見た方向に従う。なお、図面は符号の向きに見るものとする。
図１は本発明に係る除雪機を示す斜視図である。
除雪機１０は、機体１１を伝動ケースで構成し、機体１１の下部左右側に走行用の電動モータ１２（左側の伝動モータのみを示す。）を取り付け、左右の電動モータ１２に走行部１３を連結し、機体１１の上部に除雪用のエンジン（駆動源）１４を取り付け、エンジン１４で駆動させるオーガ装置１５を機体１１の前部に取り付け、このオーガ装置１５の後部およびエンジン１４をカバー２０で覆い、機体１１の上部から後上方へ左右の操作ハンドル１７，１８を延ばし、これら左右の操作ハンドル１７，１８間に操作盤１９を取り付け、作業者が左右の操作ハンドル１７，１８のグリップ１７ａ，１８ａを握った状態で操作盤１９の後から連れ歩く、自力走行式の歩行型作業機である。
【００１６】
走行部１３は、左側の駆動モータ１２の外側に左側走行部３０を備え、右側の駆動モータ（図示せず）の外側に右側走行部（図示せず）を備える。なお、右側走行部は、左側走行部と同じ構成なので説明を省略する。
左側走行部３０は、左側の伝動モータ１２に連結する左側の駆動輪３１を備え、この駆動輪３１の後方に左側の遊動輪３２を回転自在に備え、左側の駆動輪３１および遊動輪３２に左側のクローラベルト３３を巻き掛け、駆動モータ１２で駆動輪３１を駆動することにより、クローラベルト３３を回転させるものである。
【００１７】
この除雪機１０によれば、エンジン１４でオーガ装置１５を駆動させた状態で、左右の電動モータ１２で走行部１３の左右のクローラベルト３３を回転することにより、除雪機１０を走行させることができる。
【００１８】
図２は本発明に係る除雪機を示す側面図であり、カバー２０を想像線で示したものである。
オーガ装置１５は、機体１１の前部１１ａにブロアハウジング３５を設けるとともに、このブロアハウジン３５の前部３６にオーガハウジング３７を設け、エンジン１４から前方に駆動軸３８を延ばし、この駆動軸３８をブロアハウジング３５を貫通させてオーガハウジング３７内まで延ばし、この駆動軸３８の途中にブロアハウジング３５内に配置したブロア４０を取り付け、駆動軸３８の先端３９を車幅方向中央に配置した動力伝達部４３に連結し、動力伝達部４３から左右方向に向けてそれぞれ左右のオーガ軸４５，４６（右オーガ軸４６は図１参照）を延ばし、左右のオーガ軸４５，４６にそれぞれ左右のオーガ（オーガ）４８，４９（右オーガ４９は図１参照）を設けたものである。
【００１９】
エンジン１４は、クランク軸２５を鉛直方向に延ばしたバーチカルエンジンである。エンジン１４の動力を、機体（すなわち、伝動ケース）１１に収納されたオーガ用伝動機構２６を介して駆動軸３８に伝える。
このエンジン１４は、ピストン（図示せず）が往復動するシリンダ部５９を後方へ向けて配置するとともに、クランク軸２５を収納するエンジン本体２７の前面２７ａをオーガ装置１５の後面（すなわち、ブロアハウジング３５の後面３５ｃ）に隣接されている。
【００２０】
エンジン１４で駆動軸３８を回転することにより、駆動軸３８でブロア４０を回転するとともに、動力伝達部４３を介して左右のオーガ軸４５，４６を回転し、左右のオーガ軸４５，４６でそれぞれ左右のオーガ４８，４９を回転する。
【００２１】
この状態で、除雪機１０を前進させることにより、左右のオーガ４８，４９を雪に食い込ませて雪を崩し、崩した雪を左右のオーガ４８，４９で車幅方向中央に掻き集める。
掻き集めた雪をブロア４０で跳ね上げ、この跳ね上げた雪をブロアハウジング３５の上部３５ｂに設けたシュータ５３で案内して所望位置に投雪する。
【００２２】
カバー２０は、上カバー部２１と下カバー部２２とに分割可能に構成したものである。
上カバー部２１は、エンジン１４やブロアハウジング３５の上部３５ｂを覆うとともに、エンジン１４のオイル給油口５５、燃料ライン５７を開閉する燃料コック５８（図７参照）、シリンダ５９内の混合ガスを点火する点火プラグ６０および点火プラグ６０に電流を供給するバッテリ６１（いわゆる、日常メンテナンス部品）などを覆うように構成したものである。
【００２３】
よって、上カバー部２１を下カバー部２２から外すことで、オイル給油口５５、燃料コック５８、点火プラグ６０およびバッテリ６１の日常メンテナンス部品を露出させることが可能になる。
【００２４】
下カバー部２２側には、エンジンオイルをドレーンするためのドレーンプラグ６２（いわゆる、非日常メンテナンス部品）を配置する。
エンジンオイルを交換する際には、上カバー部２１を外した状態で、下カバー部２２とエンジン１４との間の隙間から工具を差し込んでドレーンプラグ６２をオイルケース６３から外す。
【００２５】
図３は本発明に係る除雪機のカバーを示す側面図である。
下カバー部２２は、底部６４に開口６５を設け、底部６４の前後左右からそれぞれ前後左右の側壁６６〜６９（左側壁６８は図６参照）を立ち上げ、これらの側壁６６〜６９の上縁７１に溝を形成し、溝にシール材７３を収納し、左右の側壁６８，６９の前端部近傍にそれぞれ左右の係止爪７５，７６（右側の係止爪７６は図７参照）を備えたカバーである。
下カバー部２２の底部６４を機体１１の上部１１ｂに載せ、底部６４を機体１１の上部１１ｂにボルト７７・・・・ナット７８・・・で固定する。
【００２６】
上カバー部２１は、略船底形に一体形成した部材を反転して開口８０側を下方に向け、この状態で下縁８１を下カバー部２２の上縁７１に載せるとともに、前端部８２をオーガハウジング３７に当接し、左右の側壁８３，８４に備えた左右のゴムバンド８６，８７（右側のゴムバンド８７は図７参照）を下カバー部２２の左右の係止爪７５，７６に係止することにより、下カバー部２２に取り付ける部材である。
【００２７】
左右のゴムバンド８６，８７は、弾性変形可能な部材である。左右のゴムバンド８６，８７を弾性変形させた状態で左右の係止爪７５，７６に係止する。
よって、左右のゴムバンド８６，８７の弾性力で、上カバー部２１の下縁８１を下カバー部２２の上縁７１に押し付けて、上カバー部２１の下縁８１と下カバー部２２の上縁７１との間隔をシール材７３で密封する。
【００２８】
図４は本発明に係る除雪機の要部を示す斜視図である。
この除雪機１０は、オーガハウジング３７の後部中央にブロアハウジング３５を設け、ブロアハウジング３５でブロア４０（図２参照）を囲い、ブロアハウジング３５の上左部３５ａに載置台９０を設け、この載置台９０に受け部９１を載せ、受け部９１にバッテリ６１を搭載し、バッテリ６１を固定手段９２で載置台９０に固定し、機体１１（図２参照）に設けたカバー２０のうちの上カバー部２１を前方に延ばし、前方に延ばした上カバー前部８５でバッテリ６１やブロアハウジング３５の上部３５ｂを覆うように構成したものである。
【００２９】
固定手段９２は、載置台９０の前後に前後のステイ９３，９４（後ステイ９４は図６参照）をボルト９５・・・で取り付け、前ステイ９３の前フック９６および後ステイ９４の後フック９７にバンド９８（図６、図７参照）を掛けてバンド９８でバッテリ６１の上部６１ａを押圧することによりバッテリ６１を載置台９０に固定するものである。
【００３０】
前後のステイ９３，９４のそれぞれの上端には連結部材１０１をボルト１０２・・・で取り付け、連結部材１０１の上面１０１ａに支えブラケット１０４を固定し、支えブラケット１０４の左右の折曲片１０５，１０６（右折曲片１０６は図７参照）にライト１０７をボルト１０８，１０８で上下方向に揺動自在に取り付ける。
【００３１】
これにより、バッテリ６１の上方にライト１０７を取り付けることができる。
このライト１０７は、上カバー部２１を下カバー部２２（図３参照）に固定した状態で、上カバー前部８５に一体に形成したライトカバー８８で覆われる。
【００３２】
連結部材１０１は前折曲片１０１ｂ、上面１０１ａおよび後折曲片１０１ｃ（図６、図７参照）で略コ字形に形成した部材である。
連結部材１０１をボルト１０２・・・で前後のステイ９３，９４に取り付けることで、前ステイ９３および連結部材１０１の前折曲片１０１ｂでバッテリ６１の前部６１ｂを保護し、後ステイ９４および連結部材１０１の後折曲片１０１ｃでバッテリ６１の後部６１ｃ（図６、図７参照）を保護し連結部材１０１の上面１０１ａでバッテリ６１の上部６１ａを保護することができる。
なお、上カバー部２１の上カバー前部８５には、シュータ５３を貫通させる貫通孔が形成されている。
【００３３】
図３に戻って、ブロアハウジング３５の上左部３５ａ（図４参照）にバッテリ６１を搭載し、このバッテリ６１およびブロアハウジング３５の上部３５ｂを機体１１から前方に延ばした上カバー部８５（カバー）で覆った。
バッテリ６１を上カバー部８５で覆うことにより、バッテリ６１に雪や水がかからないように、バッテリ６１を上カバー部８５で保護することができる。
さらに、ブロアハウジング３５の上部３５ｂを上カバー部８５で覆うことにより、ブロア４０の回転により生じる風切り音を抑えることができる。
【００３４】
また、機体１１から前方に延ばした上カバー部８５で、バッテリ６１およびブロアハウジング３５の上部３５ｂを覆うことにより、機体１１に取り付けたカバー２０を、バッテリ６１およびブロアハウジング３５の上部３５ｂを覆うカバーとして兼用することができる。
よって、バッテリ６１の専用カバーや、ブロアハウジング３５の上部３５ｂの専用カバーを個別に用意する必要がないので、部品点数を抑えることができる。
【００３５】
次に、左右のオーガ４８，４９（図４も参照）およびブロア４０を駆動する駆動源（エンジン）１４を機体１１に搭載し、このエンジン１４をもカバー２０で覆うように構成した。
【００３６】
このように、バッテリ６１やブロアハウジング３５の上部３５ｂを覆うカバーで、エンジン１４やその電装品を覆うことにより、エンジン１４やその電装品に雪や水がかからないように、エンジン１４をカバー２０で保護することができる。
さらに、このカバー２０でエンジン１４を覆うことにより、エンジンから発生する作動音を抑えることができる。
【００３７】
加えて、機体１１に取り付けた一個のカバー２０で、バッテリ６１を覆うカバー、ブロアハウジング３５の上部３５ｂを覆うカバーおよびエンジン１４を覆うカバーとして兼用することができる。
この結果、バッテリ６１を覆うための専用カバー、ブロアハウジング３５の上部３５ａを覆うための専用カバーや、エンジン１４を覆うための専用カバーを個別に用意する必要がないので、部品点数を抑えることができる。
【００３８】
次に、除雪機の作用を図５〜図７に基づいて説明する。
図５（ａ），（ｂ）は本発明に係る除雪機の作用を示す第１作用説明図である。
（ａ）において、上カバー部２１の下縁８１を下カバー部２２の上縁７１に矢印▲１▼の如く載せた後、左右のゴムバンド８６，８７（右のゴムバンド８７は図７参照）を指で掴んで矢印▲２▼の如く引っ張り弾性変形させる。
【００３９】
（ｂ）において、左右のゴムバンド８６，８７の孔８９・・・を下カバー部２２の左右の係止爪７５，７６（右の係止爪７６は図７参照）に嵌め込む。
具体的には、左右のゴムバンド８６，８７の孔８９・・・のうちの中央の孔８９，８９を、下カバー部２２の左右の係止爪７５，７６に嵌め込む。
これにより、上カバー部２１を下カバー部２２に取り付けることができる。
【００４０】
一方、上カバー部２１を下カバー部２２から外す場合には、左右のゴムバンド８６，８７を指で掴んで引っ張り弾性変形させる。
この状態で、下カバー部２２の左右の係止爪７５，７６から左右のゴムバンド７５，７６の孔８９，８９を外す。これにより、上カバー部２１を下カバー部２２から外すことができる。
【００４１】
このように、左右のゴムバンド８６，８７の孔８９，８９を下カバー部２２の左右の係止爪７５，７６に嵌め込んだり、外したりするだけなので、上カバー部２１を手間をかけないで簡単に着脱することができる。
【００４２】
図６は本発明に係る除雪機の作用を示す第２作用説明図である。
下カバー部２２から上カバー部２１を外すことにより、オイル給油口５５、燃料コック５８（図７参照）、点火プラグ６０およびバッテリ６１を露出させる。
なお、燃料コック５８については図７で詳しく説明する。
【００４３】
オイル給油口５５は、通常キャップ５６で閉じられており、エンジンオイルを供給する際にキャップ５６を外す。これにより、オイル給油口５５を開いて、オイル給油口５５からエンジンオイルを供給することができる。
点火プラグ６０は、シリンダ５９内の混合ガスを好適に点火するために、保守・管理の頻度を高くすることが好ましい。
バッテリ６１は、充電を好適におこなうために、保守・管理の頻度を高くして電解液を規定量確保することが好ましい。
【００４４】
このため、オイル給油口５５、点火プラグ６０およびバッテリ６１を、下カバー部２２から上カバー部２１を外すことで露出させるように構成した。
よって、下カバー部２２から上カバー部２１を外すだけで、オイル給油口５５、点火プラグ６０およびバッテリ６１を簡単に露出させることができるので、これらの日常メンテナンス部品５５，６０，６１を手間をかけないで簡単に保守・管理することができる。
【００４５】
また、カバー２０を上・下のカバー部２１，２２に２分割する構成にすることで、従来必要とされていた保守・管理用のドアをカバー２０に備える必要がない。これにより、カバー２０の部品点数を減らして構成を簡単にすることができる。
【００４６】
一方、下カバー部２２側にドレーンプラグ６２（非日常メンテナンス部品）を配置したので、エンジンオイルを交換する際には、上カバー部２１を外した状態で、下カバー部２２とエンジン１４との間の隙間から工具を差し込んでドレーンプラグ６２をオイルケース６３から外すことができる。
【００４７】
図７は本発明に係る除雪機の作用を示す第３作用説明図である。
下カバー部２２から上カバー部２１を外すことで燃料コック５８を露出させることができる。
この燃料コック５８は、一例として燃料タンク１１０とキャブレター１１１とを連通する燃料ライン５７の途中に備えたものである。
【００４８】
燃料コック５８を閉じることにより、燃料タンク１１０とキャブレター１１１を遮断し、燃料コック５８を開くことにより、燃料タンク１１０とキャブレター１１１を連通させることができる。
なお、燃料ライン５７の途中にはフィルタ１１２が設けられている。
【００４９】
燃料コック５８は、除雪機１０を使用しない場合には、閉じておくことが好ましい。よって、除雪機１０を使用する際や、長時間（長期間）休車する際に、燃料コック５８を開閉操作する必要があり、開閉操作の頻度が高い。
この燃料コック５８（日常メンテナンス部品）も上カバー部２１を外すだけで、手間をかけないで簡単に開閉操作をおこなうことができる。
【００５０】
また、キャブレター１１１に連通するエアフィルタ１１３も、保守・管理の頻度が高い。
エアフィルタ１１３も、上カバー部２１側に配置したので、上カバー部２１を外すだけで、手間をかけないで簡単にエアフィルタ１１３の保守・管理をおこなうことができる。
【００５１】
なお、前記実施形態では、左右のゴムバンド８６，８７を左右の係止爪７５，７６に係止することにより、下カバー部２２に上カバー部２１を取り付ける例について説明したが、これに限るものではなく、フックなどのその他の係止手段を用いることも可能である。
また、前記実施形態で示した上カバー部２１および下カバー部２２の形状は任意に決めることができる。
【００５２】
【発明の効果】
本発明は上記構成により次の効果を発揮する。
請求項１は、ブロアハウジングの上部にバッテリを搭載し、このバッテリおよびブロアハウジングを機体から前方に延ばしたカバーで覆った。バッテリをカバーで覆うことにより、バッテリに雪や水がかからないように保護することができる。
さらに、ブロアハウジングの上部をカバーで覆うことにより、ブロアの回転により生じる風切り音を抑えることができる。
【００５３】
また、機体から前方に延ばしたカバーで、バッテリおよびブロアハウジングを覆うことにより、機体に取り付けたカバーを、バッテリおよびブロアハウジング覆うカバーとして兼用することができる。
よって、バッテリ専用のカバーや、ブロアハウジング専用のカバーを個別に用意する必要がないので、部品点数を抑えることができる。
【００５４】
請求項２は、オーガおよびブロアを駆動する駆動源を機体に搭載し、この駆動源をもカバーで覆うように構成した。よって、バッテリやブロアハウジングを覆うカバーで、オーガおよびブロアを駆動する駆動源をも覆うことができる。
駆動源をカバーで覆うことにより、駆動源やその電装部品に雪や水がかからないように保護することができる。
さらに、このカバーで駆動源を覆うことにより、駆動源から発生する作動音を抑えることができる。
【００５５】
加えて、機体に取り付けた一個のカバーで、バッテリ用カバー、ブロアハウジング用カバーおよび駆動源用カバーとして兼用することができる。
この結果、バッテリ専用のカバー、ブロアハウジング専用のカバーや、駆動源専用のカバーを個別に用意する必要がないので、部品点数を抑えることができる。
【図面の簡単な説明】
【図１】本発明に係る除雪機を示す斜視図
【図２】本発明に係る除雪機を示す側面図
【図３】本発明に係る除雪機のカバーを示す側面図
【図４】本発明に係る除雪機の要部を示す斜視図
【図５】本発明に係る除雪機の作用を示す第１作用説明図
【図６】本発明に係る除雪機の作用を示す第２作用説明図
【図７】本発明に係る除雪機の作用を示す第３作用説明図
【図８】従来の除雪機の要部を示す斜視図
【符号の説明】
１０…除雪機、１１…機体、１１ａ…機体の前部、１３…走行部、１４…エンジン（駆動源）、１５…オーガ装置（除雪作業部）、２０…カバー、２１…上カバー部、２２…下カバー部、３５…ブロアハウジング、３５ｂ…ブロアハウジングの上部、４０・・・ブロア、４８…左オーガ（オーガ）、４９…右オーガ（オーガ）、５３…シュータ、６１…バッテリ、８５…上カバー前部、９０…載置台。
【図１】
2004225310.tif 000003
【図２】
2004225310.tif 000004
【図３】
2004225310.tif 000005
【図４】
2004225310.tif 000006
【図５】
2004225310.tif 000007
【図６】
2004225310.tif 000008
【図７】
2004225310.tif 000009
【図８】
2004225310.tif 000010